(57)【要約】    【課題】  内部時計の変動に起因する情報記録開始遅れのおそれを小さくする。    【解決手段】  周期ＴＷで取得される基準時刻ＴＣによって、内部時計１４の調整がなされる。補正時間Ｎｔｓが、最後の調整タイミングｔからの経過時間Ｔｉ、及び調整タイミングｔにおける調整値Ｇに基づいて、Ｎｔｓ＝（Ｋｔｓ（係数）×Ｔｉ）＋（Ｌｔｓ（係数）×Ｇ）により算出される。補正時間Ｎｔｓと記録開始予定時刻ＴＳ０とから、記録開始予定時刻ＴＳ１と、記録動作開始予定時刻ＴＳ２とが、ＴＳ１＝ＴＳ０−Ｎｔｓ、ＴＳ２＝ＴＳ０−（ＴＯＳ（動作準備時間）＋Ｎｔｓ）により算出される。内部時計１４の現在時刻が、記録動作開始予定時刻ＴＳ２と一致した場合は、記録動作開始が指示される。【選択図】      図６
2006294094.tif 000002
【特許請求の範囲】
【請求項１】
時刻情報を取得する時刻情報取得手段と、
時刻を計時する内部時計と、
前記時刻情報取得手段により取得された時刻情報に基づいて、前記内部時計の時刻を調整する時刻調整手段と、
情報の記録開始予定時刻を設定する時刻設定手段と、
前記時刻設定手段により設定された記録開始予定時刻を、前記時刻調整手段による前記内部時計の最後の時刻調整時からの経過時間及び前記最後の時刻調整時における前記内部時計の時刻調整値の少なくとも一方に基づいて補正する補正手段と、
前記補正手段により補正された後の記録開始予定時刻と前記内部時計の現在時刻とに基づいて、前記情報の記録開始処理を実行する記録処理手段とを有することを特徴とする情報記録装置。
【請求項２】
前記補正手段は、前記設定された記録開始予定時刻を前記経過時間に基づいて補正する場合は、前記経過時間に応じた時間分だけ早まる方向に前記記録開始予定時刻を補正すると共に、前記設定された記録開始予定時刻を前記時刻調整値に基づいて補正する場合は、前記時刻調整値に応じた時間分だけ早まる方向に前記記録開始予定時刻を補正することを特徴とする請求項１記載の情報記録装置。
【請求項３】
前記時刻設定手段は、前記情報の記録終了の予定となる記録終了予定時刻を設定し、前記補正手段は、前記時刻設定手段により設定された記録終了予定時刻を、前記時刻調整手段による前記内部時計の最後の時刻調整時からの経過時間及び前記最後の時刻調整時における前記内部時計の時刻調整値の少なくとも一方に基づいて補正し、前記記録処理手段は、前記補正手段により補正された後の記録終了予定時刻と前記内部時計の現在時刻とに基づいて、前記情報の記録終了処理を実行することを特徴とする請求項１または２記載の情報記録装置。
【請求項４】
前記補正手段は、前記設定された記録終了予定時刻を前記経過時間に基づいて補正する場合は、前記経過時間に応じた時間分だけ遅延する方向に前記記録終了予定時刻を補正すると共に、前記設定された記録終了予定時刻を前記時刻調整値に基づいて補正する場合は、前記時刻調整値に応じた時間分だけ遅延する方向に前記記録終了予定時刻を補正することを特徴とする請求項３記載の情報記録装置。
【請求項５】
当該情報記録装置の作動休止状態への移行と作動休止状態からの復帰を制御する休止状態制御手段を有し、前記補正手段は、前記作動休止状態においても機能し、前記休止状態制御手段は、当該情報記録装置の作動休止状態においては、前記補正手段により補正された後の記録開始予定時刻と前記内部時計の現在時刻とに基づいて、当該情報記録装置の作動休止状態からの復帰を制御することを特徴とする請求項１〜４のいずれか１項に記載の情報記録装置。
【請求項６】
時刻を計時する内部時計を有する情報記録装置を制御する情報記録装置の制御方法であって、
時刻情報を取得し、
該取得した時刻情報に基づいて、前記内部時計の時刻を調整し、
情報の記録開始の予定として設定された記録開始予定時刻を、前記内部時計の最後の時刻調整時からの経過時間及び前記最後の時刻調整時における前記内部時計の時刻調整値の少なくとも一方に基づいて補正し、
該補正した後の記録開始予定時刻と前記内部時計の現在時刻とに基づいて、前記情報の記録開始処理を実行することを特徴とする情報記録装置の制御方法。
【発明の詳細な説明】
【技術分野】
【０００１】
本発明は、音声や画像等の情報を、予約した時刻に記録する記録予約機能を有する情報記録装置及びその制御方法に関する。
【背景技術】
【０００２】
従来、音声や画像等の情報を、予約された時刻に記録する情報記録装置が知られている。例えば、ビデオレコーダは、内部時計及びタイマ予約機能を有し、内部時計の現在時刻が、ユーザが設定した記録開始予定時刻、記録終了予定時刻となったら、記録開始、記録終了を行う。
【０００３】
予約時刻の設定方法としては、ユーザが操作キーあるいは入力メニューで設定する方法、新聞、雑誌の番組表に表示されたバーコードや認識番号等を入力装置で読み取って自動入力し、設定する方法等がある。また、ビデオレコーダをパソコンに接続し、パソコンをネットワーク接続して、パソコンのブラウザ画面から予約時刻を設定する方法、さらには、ビデオレコーダを直接ネットワーク接続した状態で、外出先からネットワーク越しに（パソコン、携帯電話機等を用いて）設定する方法もある。
【０００４】
ところで、ビデオレコーダ等の内部時計は、内蔵される時計専用ＩＣまたはマイコンにより、クオーツ等の発振子をカウントすることで時刻を計測している。しかし、内部時計の計時には、温度変化、発振子の精度、経時変化等によって誤差が生じ、内部時計の時間が変動する場合がある。この時間変動の問題に対し、近年、数種の対策機能がビデオレコーダ等に搭載されている。
【０００５】
例えば、放送局から所定の時刻に発せられる時報信号を基に内部時計を調整する機能がある。また、電波時計の機能、すなわち、標準電波を受信することにより、内部時計を調整する機能がある。さらには、インターネット上にある基準時計にアクセスし、それに基づき内部時計を調整する機能がある。
【０００６】
ところが、内部時計を、放送局からの時報で調整する場合において、放送局の都合で、時報が定時に発信されない場合は、調整が定期的に行われない。また、時報発信時に、ビデオレコーダが重い処理をしていた場合、時報を適時に取得できずに、調整が正常に行えない場合もある。
【０００７】
また、内部時計を、標準電波で調整する場合において、標準電波の受信感度、受信地域も限定されているため、受信区域以外では、調整ができない。
【０００８】
さらには、内部時計を、インターネット上の基準時計で調整する場合、基準時計の運営とアクセス権が保証されていないため、調整必要時に時刻が取得できない場合は、調整ができない。
【０００９】
このように、内部時計の時刻調整ができないような場合も考慮して、記憶開始が遅延しないようにした情報記録装置も知られている。例えば、特許文献１では、時報の音声周波数を認識すると、時報に従って内部時計の現在時刻を補正する。そして、時刻補正用放送局を設定しない場合は、内部時計が正確でないと判断し、一律に、記録開始予定時刻の数秒前に記録を開始する。
【特許文献１】特開平５−６２２８４号公報
【発明の開示】
【発明が解決しようとする課題】
【００１０】
しかしながら、記録予約が設定された状態で、内部時計の時刻調整機会が非常に長い期間無かったような場合は、上記のように、数秒間早めに記録を開始するだけでは、記録開始遅れ（頭切れ）を確実に防止することができない。すなわち、ビデオレコーダには、一般に、予約設定を維持したまま、主要な機能を休止状態にする休止機能があるが、休止期間中は、通常、上記時報信号、電波等の受信処理を行わないため、休止期間が長い場合は、内部時計の変動の度合いが大きくなる。
【００１１】
このようなことから、内部時計の調整が長い期間行われないと、その変動に起因して、頭切れや尻切れ等の不具合が生じるおそれが大きくなるという問題があった。
【００１２】
ところで、スポーツ番組等、番組が延長された場合に対応するために、番組延長ボタン機能が設けられたビデオレコーダも既に知られている。しかし、この機能では、番組後半の未記録を防ぐことはできても、内部時計の変動による記録開始の遅れを防止することができない。
【００１３】
本発明は上記従来技術の問題を解決するためになされたものであり、その目的は、内部時計の変動に起因する情報記録開始遅れのおそれを小さくすることができる情報記録装置及びその制御方法を提供することにある。
【課題を解決するための手段】
【００１４】
上記目的を達成するために本発明の請求項１の情報記録装置は、時刻情報を取得する時刻情報取得手段と、時刻を計時する内部時計と、前記時刻情報取得手段により取得された時刻情報に基づいて、前記内部時計の時刻を調整する時刻調整手段と、情報の記録開始予定時刻を設定する時刻設定手段と、前記時刻設定手段により設定された記録開始予定時刻を、前記時刻調整手段による前記内部時計の最後の時刻調整時からの経過時間及び前記最後の時刻調整時における前記内部時計の時刻調整値の少なくとも一方に基づいて補正する補正手段と、前記補正手段により補正された後の記録開始予定時刻と前記内部時計の現在時刻とに基づいて、前記情報の記録開始処理を実行する記録処理手段とを有することを特徴とする。
【００１５】
前記情報は、例えば、音声及び画像の少なくとも一方である。また、当該情報記録装置は、例えば、音声入力手段と撮像手段とを備えるカムコーダである。
【００１６】
上記目的を達成するために本発明の請求項６の情報記録装置の制御方法は、時刻を計時する内部時計を有する情報記録装置を制御する情報記録装置の制御方法であって、時刻情報を取得し、該取得した時刻情報に基づいて、前記内部時計の時刻を調整し、情報の記録開始の予定として設定された記録開始予定時刻を、前記内部時計の最後の時刻調整時からの経過時間及び前記最後の時刻調整時における前記内部時計の時刻調整値の少なくとも一方に基づいて補正し、該補正した後の記録開始予定時刻と前記内部時計の現在時刻とに基づいて、前記情報の記録開始処理を実行することを特徴とする。
【発明の効果】
【００１７】
本発明の請求項１、６によれば、内部時計の変動に起因する情報記録開始遅れのおそれを小さくすることができる。
【００１８】
本発明の請求項３によれば、内部時計の変動に起因する情報記録の尻切れのおそれを小さくすることができる。
【００１９】
本発明の請求項５によれば、記録開始予定時刻の設定後に休止期間となっても、情報記録開始遅れのおそれを小さくすることができる。
【発明を実施するための最良の形態】
【００２０】
以下、本発明の実施の形態を図面を参照して説明する。
【００２１】
図１は、本発明の一実施の形態に係る情報記録装置の構成を示すブロック図である。この情報記録装置１０は、例えば、ビデオレコーダとして構成される。
【００２２】
同図に示すように、情報記録装置１０において、記録制御部１５には、補正部１３、記録処理部１６、記録設定部１７が接続されるほか、内部時計１４及び時計設定部１２を介して時刻取得部１１が接続される。補正部１３は時計設定部１２とも接続されている。また、情報記録装置１０には、表示部１８も設けられている。
【００２３】
時刻取得部１１は、情報記録装置１０の外部から、基準時刻ＴＣを取得する。内部時計１４は、不図示の時計専用ＩＣまたはマイコンにより、クオーツ等の発振子をカウントすることで計時する。時計設定部１２は内部時計１４を設定、調整する。
【００２４】
記録処理部１６は、映像及び音声の情報で成る番組３３を記録媒体３２に保存させる。記録制御部１５は、記録処理部１６による記録動作を制御する。記録設定部１７は、記録動作の開始時刻、終了時刻等の動作時刻を設定する。操作部３１は、リモコン等であり、各種入力操作を行うのに用いられる。なお、操作部３１と同様の機能を情報記録装置１０に備え付けてもよい。補正部１３は、記録制御部１５の制御に従い、記録設定部１７で設定された動作時刻を補正する。
【００２５】
記録媒体３２としては、ＭＭＣ（マルチメディアカード）、ＳＳＦＤＣ（スマートメディア）（登録商標）、ＳＤ、コンパクトフラッシュ（登録商標）、ＰＣカード等のメモリカード、ＣＤ−ＲＷ、ＦＤ、ＭＤ、ＤＶＤ−ＲＡＭ等の磁気（あるいは光磁気）記録メディア等が考えられる。なお、情報記録装置１０の内部にハードディスク等の内蔵記録媒体を設け、該内蔵記録媒体に番組３３が保存されるようにしてもよい。
【００２６】
図２は、情報記録装置１０が番組表及び基準時刻ＴＣを取得するためのシステムを示す図である。情報記録装置１０は、インターネット９０を通じて、ＮＴＰサーバ（時計サーバ）２１、管理サーバ２２及びその他のサーバ群２４に接続される。情報記録装置１０は、インターネット９０を経由して、ＮＴＰサーバ２１に適時にアクセスし、ＮＴＰサーバ２１から基準時刻ＴＣを取得することができる。管理サーバ２２は、放送局の番組表２３を管理し、放送番組予約時のデータベースとしても機能する。
【００２７】
本実施の形態では、一例として、基準時刻ＴＣは、ＮＴＰサーバ２１から取得されるものとする。なお、これ以外にも、放送局から所定の時刻に発せられる時報信号、あるいは、電波時計用の標準電波から基準時刻ＴＣを取得するようにしてもよいし、これらが重複して行えるように構成してもよい。
【００２８】
情報記録装置１０は、所定の周期ＴＷで、基準時刻ＴＣを時刻取得回路１１により取得する。そして、取得した時刻ＴＣに基づいて、時計設定部１２が、内部時計１４の時間を調整する。番組３３の記録（録画）予約をする場合、ユーザは、操作部３１を用いて、記録したい番組３３、記録を開始すべき記録開始予定時刻ＴＳ０、記録を終了すべき記録終了予定時刻ＴＥ０（または記録の継続時間である記録時間ＴＴ）を入力する。すると、その内容が、記録設定部１７に対して設定される。以降、内部時計１４によって管理される時間を「内部時計時間」、ＮＴＰサーバ２１によって管理される時間を「基準時間」と呼称する。
【００２９】
図３は、表示部１８の表示画面の表示例を示す図である。同図の例では、内部時計１４の現在時刻が「１４：１５」であり、また、内部時計１４の調整が、時計設定部１２によって、現在時刻から２時間３１分前に行なわれたことが表示されている。
【００３０】
記録制御部１５は、記録設定部１７に設定された記録開始予定時刻ＴＳ０と内部時計１４の現在時刻とを比較し、両者の比較結果に基づき、記憶処理部１６に記録開始を指示する。すると、記憶処理部１６が、番組３３のコンテンツを記録媒体３２に保存させる処理を開始する。
【００３１】
一方、記録制御部１５は、記録設定部１７に設定された記録終了予定時刻ＴＥ０と内部時計１４の現在時刻とを比較し、両者の比較結果に基づき、記憶処理部１６に記録終了を指示する。すると、記憶処理部１６が、番組３３の記録媒体３２への保存を停止、終了させる。
【００３２】
ここで、情報記録装置１０において、記憶処理部１６に記録指示がなされてから実際に記録が開始されるまでに、記録のための不図示の駆動部等の起動時間、動作遷移時間等の「動作準備時間ＴＯＳ」が必要とされる。そのため、上記のように、記録開始予定時刻ＴＳ０または記録終了予定時刻ＴＥ０が内部時計１４の現在時刻と完全に一致してから、動作を開始するようにした場合は、ユーザが希望し設定した記録開始予定時刻ＴＳ０、記録終了予定時刻ＴＥ０の通りに記録が開始、終了せず、処理時刻がずれてしまう。そこで、実際には、後述するように、この動作準備時間ＴＯＳを考慮して、記録開始、記録終了のタイミングを決定している。
【００３３】
図４は、内部時計１４の調整と記録開始との関係を示すタイミングチャートである。同図に示すように、通常、周期ＴＷ毎に訪れる調整タイミングｔで基準時刻ＴＣが取得され、基準時刻ＴＣが取得された場合は、内部時計時間の現在時刻を基準時刻ＴＣに一致させるように設定されることで、内部時計１４の時間が調整される（詳細は図５で後述する）。
【００３４】
しかしながら、基準時刻ＴＣが取得できなかったり、情報記録装置１０が取得動作を行えなかったりした場合は、調整タイミングｔが周期ＴＷ毎に生じない場合がある。内部時計１４の計時には、温度変化、発振子の精度、経時変化等によって誤差が生じるから、調整タイミングｔが長い期間生じなかった場合は、内部時計時間と基準時間とのずれが大きくなる。例えば、最後の調整タイミングｔからの時間Ｔｉが経過した時に、記録開始予定時刻ＴＳ０と内部時計時間との比較により、記録が開始されたとする。しかし、基準時間を基準として、実際の記録開始時刻（実記録開始時刻）は、本来記録が開始されるべき時刻である記録開始予定時刻ＴＳ０と比べると、誤差Ｔｊだけずれることになる。
【００３５】
記録開始予定時刻ＴＳ０及び記録終了予定時刻ＴＥ０に余裕を全く設けなかった場合は、記録開始予定時刻ＴＳ０に対して実記録開始時刻が遅いと、番組３３の頭が未記録（頭切れ）することになる。一方、記録開始予定時刻ＴＳ０に対して実記録開始時刻が早ければ、番組３３の頭が切れることはないが、そのままでは、後ろが未記録（尻切れ）することになる。
【００３６】
そこで、以下に説明するように、本実施の形態では、最後の調整タイミングｔからの経過時間及び時刻調整時の調整値Ｇに応じて、記録開始予定時刻ＴＳ０及び記録終了予定時刻ＴＥ０を補正する。
【００３７】
ところで、情報記録装置１０は、不図示の電源スイッチの操作により電源がＯＦＦされた状態では作動状態が「作動休止状態」となり、電源がＯＮされた状態では、「活性状態」となるようになっている。作動休止状態への移行と作動休止状態から活性状態への復帰は、記録制御部１５によって制御される。
【００３８】
図５は、内部時計調整処理のフローチャートである。本処理は、時計設定部１２によって実行される。図６、図７は、記録制御処理のフローチャートである。本処理は、記録制御部１５によって実行される。
【００３９】
情報記録装置１０の作動休止状態では、内部時計１４の計時が継続して行われると共に、図６、図７の記録制御処理が一定時間間隔で間欠的に実行される。一方、図５の内部時計調整処理は、活性状態でのみ実行され、従って、作動休止状態では、基準時刻ＴＣの取得も行われない。また、作動休止状態のうち、特に、記録開始予定時刻ＴＳ０及び記録終了予定時刻ＴＥ０の設定がなされている状態は、「タイマ待機状態」である。
【００４０】
なお、情報記録装置１０には、ユーザの任意で、内部時計調整処理を行うか否かを指示する不図示のスイッチが設けられており、図５の内部時計調整処理は、活性状態で且つ内部時計調整処理を行う旨の指示がなされているときは、常に実行され、内部時計調整処理の停止指示がなされると、停止、終了する。
【００４１】
まず、図５のステップＳ５０１では、基準時刻ＴＣを取得する周期ＴＷの設定を行うと共に、経過時間を計時するタイマカウンタＴｉと周期カウンタＣｔｗとをスタートさせる。これらタイマカウンタＴｉ及び周期カウンタＣｔｗは、内部時計時間の経過に従って増大する。次に、周期カウンタＣｔｗが周期ＴＷ以上になったか否かを判別し（ステップＳ５０２）、Ｃｔｗ≧ＴＷが成立するまで、この判別を繰り返して、Ｃｔｗ≧ＴＷが成立した場合は、周期カウンタＣｔｗをクリアする（ステップＳ５０３）。
【００４２】
次に、基準時刻ＴＣが取得できた否かを判別し（ステップＳ５０４）、取得できない場合は、前記ステップＳ５０２に戻る。一方、基準時刻ＴＣが取得できた場合は、内部時計１４を、その現在時刻が基準時刻ＴＣに位置するように調整する（ステップＳ５０５）。そして、この調整において調整された量である調整誤差を、絶対値である調整値Ｇとして記憶する（ステップＳ５０６）。調整値Ｇは、例えば、時計設定部１２内に設けられた不図示の記憶部に記憶される。次に、タイマカウンタＴｉをクリアして（ステップＳ５０７）、前記ステップＳ５０２に戻る。
【００４３】
図８は、記録制御処理による情報記録装置１０の状態を示すタイミングチャートである。以下、図６、図７の記録制御処理を、図８を参照しつつ説明する。記録を終了すべき時刻は、記録終了予定時刻ＴＥ０、記録時間ＴＴのいずれかで指定できるが、本実施の形態では、記録終了予定時刻ＴＥ０で指定された場合を例にとって説明する。
【００４４】
まず、ユーザによって操作部３１を用いて入力された、記録開始予定時刻、記録終了予定時刻を、それぞれ、レジスタ値である記録開始予定時刻ＴＳ０、記録終了予定時刻ＴＥ０として設定する（ステップＳ６０１）。次に、記録開始に関する補正時間Ｎｔｓを、下記数式１により算出する（ステップＳ６０２）。
［数１］
Ｎｔｓ＝（Ｋｔｓ×Ｔｉ）＋（Ｌｔｓ×Ｇ）
ここで、Ｎｔｓ、Ｋｔｓ、Ｔｉ、Ｌｔｓ、Ｇの各値はいずれも正の値である。Ｔｉ、Ｇは、図５の内部時計調整処理によってカウントされている現在の値である。また、Ｋｔｓ、Ｌｔｓは、いずれも所定の係数であって、補正時間Ｎｔｓが上記した誤差Ｔｊの絶対値と同じかそれよりも大きくなるような値に設定される。
【００４５】
これら係数Ｋｔｓ、Ｌｔｓは、固定係数とするが、これに限られず、ユーザにより設定できるようにしてもよい。また、学習機能をもった動的係数を採用してもよい。あるいは、Ｋｔｓ、Ｌｔｓの値が、それぞれＴｉ値、Ｇ値に対して非線形の関係に設定されたテーブルを設け、該各テーブルを参照してＫｔｓ、Ｌｔｓ値を設定してもよい。
【００４６】
次に、上記算出した補正時間Ｎｔｓを用いて、記録開始予定時刻の再設定を行う（ステップＳ６０３）。すなわち、再設定後の記録開始予定時刻ＴＳ１と、記録制御部１５が記憶処理部１６に記録動作開始を指示する時刻である記録動作開始予定時刻ＴＳ２とを、下記数式２、３によって算出する。
［数２］
ＴＳ１＝ＴＳ０−Ｎｔｓ
［数３］
ＴＳ２＝ＴＳ０−（ＴＯＳ＋Ｎｔｓ）
すなわち、図８に示すように、記録開始予定時刻ＴＳ１は、ユーザが設定した記録開始予定時刻ＴＳ０よりも、補正時間Ｎｔｓだけ早く、さらに、記録動作開始予定時刻ＴＳ２は、記録開始予定時刻ＴＳ１よりも、上記した動作準備時間ＴＯＳだけ早い。これにより、番組３３の頭切れが防止される。
【００４７】
次に、情報記録装置１０が休止期間中、すなわち、作動休止状態であるか否かを判別し（ステップＳ６０４）、休止期間中でない場合は、ステップＳ６０８に進む一方、休止期間中である場合は、休止期間を終了させる時刻である休止終了予定時刻ＴＳ３を、下記数式４により算出する（ステップＳ６０５）。
［数４］
ＴＳ３＝ＴＳ２−ＭＴ
ここで、ＭＴは、記録動作開始指示を行う時刻よりも十分に前の時刻に、作動状態を作動休止状態から活性状態への移行させるための余裕時間であり、正の値である。
【００４８】
次に、内部時計１４の（内部時計時間における）現在時刻が、上記設定された休止終了予定時刻ＴＳ３と一致したか否かを判別し（ステップＳ６０６）、一致していない場合は、前記ステップＳ６０２に戻る。一方、内部時計１４の現在時刻が休止終了予定時刻ＴＳ３と一致した場合は、作動状態を活性状態へ移行させるべく、休止終了処理、すなわち、情報記録装置１０の再立ち上げ処理を行う（ステップＳ６０７）。
【００４９】
すなわち、図８に示すように、休止終了予定時刻ＴＳ３は、記録動作開始予定時刻ＴＳ２よりも余裕時間ＭＴだけ早い。これにより、休止期間中であっても、記録動作開始予定時刻ＴＳ２までに記録動作が開始可能となるように、作動状態が活性状態へ復帰する。そして、前記ステップＳ６０８に進む。
【００５０】
ステップＳ６０８では、内部時計１４の現在時刻が、記録動作開始予定時刻ＴＳ２と一致したか否かを判別し、一致していない場合は、前記ステップＳ６０２に戻る。一方、内部時計１４の現在時刻が記録動作開始予定時刻ＴＳ２と一致した場合は、記憶処理部１６に記録動作開始を指示する（ステップＳ６０９）。次に、記録終了に関する補正時間Ｎｔｅを、下記数式５により算出する（ステップＳ６１０）。
［数５］
Ｎｔｅ＝（Ｋｔｅ×Ｔｉ）＋（Ｌｔｅ×Ｇ）
ここで、Ｎｔｅ、Ｋｔｅ、Ｌｔｅの各値はいずれも正の値である。Ｔｉ、Ｇは、図５の内部時計調整処理によってカウントされている現在の値である。特に、記録実行中に新たな調整タイミングｔが生じなかった場合は、Ｔｉ値は、前記ステップＳ６０２の処理時における値よりも大きくなっている。また、Ｋｔｅ、Ｌｔｅは、いずれも所定の係数であって、補正時間Ｎｔｅが上記した誤差Ｔｊの絶対値よりも大きくなるような値に設定される。
【００５１】
次に、上記算出した補正時間Ｎｔｅを用いて、記録終了予定時刻の再設定を行う（ステップＳ６１１）。すなわち、再設定後の記録終了予定時刻ＴＥ１を、下記数式６によって算出する。
［数６］
ＴＥ１＝ＴＥ０＋Ｎｔｅ
すなわち、図８に示すように、記録終了予定時刻ＴＥ１は、記録終了予定時刻ＴＥ０よりも補正時間Ｎｔｅだけ遅い。次に、内部時計１４の現在時刻が、記録終了予定時刻ＴＥ１と一致したか否かを判別し（ステップＳ６１２）、一致していない場合は、前記ステップＳ６１０に戻る。一方、内部時計１４の現在時刻が記録終了予定時刻ＴＥ１と一致した場合は、記憶処理部１６に記録動作の終了を指示して（ステップＳ６１３）、本処理を終了する。
【００５２】
図８に例示した動作を再度説明すると、まず、周期ＴＷ毎に訪れる調整タイミングｔで、基準時刻ＴＣに基づく内部時計１４の調整がなされる。その後、記録開始予定時刻ＴＳ０及び記録終了予定時刻ＴＥ０が設定されて、電源がオフさると、タイマ待機状態となる。すると、その後は、調整タイミングｔが訪れないため、内部時計１４を基準とした最後の調整タイミングｔからの経過時間がタイマカウンタＴｉとして計時される。
【００５３】
そして、内部時計１４の現在時刻が休止終了予定時刻ＴＳ３と一致すると、休止期間が終了し、次に、記録動作開始予定時刻ＴＳ２と一致すると、記録動作が開始される。それから動作準備時間ＴＯＳ後に、実際に記録が開始されるが、その時点は、記録開始予定時刻ＴＳ１とほぼ一致する。その後、記録実行中においても記録終了予定時刻の補正がなされ、内部時計１４の現在時刻が記録終了予定時刻ＴＥ１と一致した時点で、記録動作が終了する。
【００５４】
従って、内部時計時間を基準とした、記録開始予定時刻ＴＳ１から記録終了予定時刻ＴＥ１までの期間に記録が実行される。また、これらの期間は、ほとんどの場合、基準時間を基準とした記録開始予定時刻ＴＳ０から記録終了予定時刻ＴＥ０までの期間を包含（カバー）するので、頭切れ、尻切れが回避される。
【００５５】
本実施の形態によれば、設定された記録開始予定時刻ＴＳ０、記録終了予定時刻ＴＥ０を、最後の調整タイミングｔからの経過時間Ｔｉと最後の調整タイミングｔにおける調整値Ｇとに基づいて補正時間Ｎｔｓで補正し、補正後の記録開始予定時刻ＴＳ１から記録終了予定時刻ＴＥ１までの期間に実記録がなされるようにした。これにより、内部時計１４の変動に起因して、番組記録開始が遅すぎたり、記録終了が早すぎたりする、頭切れ、尻切れのおそれを小さくすることができる。しかも、記録開始指示についても、補正時間Ｎｔｓと動作準備時間ＴＯＳとに基づき算出した記録動作開始予定時刻ＴＳ２に行うので、動作準備時間ＴＯＳによる記録開始遅れも回避することができる。よって、ユーザが予約した番組が未記録となることを極力防止することができる。
【００５６】
さらには、記録制御処理を休止期間中にも間欠的に実行し、且つ、記録動作開始予定時刻ＴＳ２と余裕時間ＭＴに基づき算出した休止終了予定時刻ＴＳ３に休止期間を終了させるので、記録開始、終了予定時刻の設定後に休止期間（タイマ待機状態）となっても、記録開始遅れのおそれを小さくすることができる。
【００５７】
また、補正時間Ｎｔｓ、補正時間Ｎｔｅは、最後の調整タイミングｔからの経過時間Ｔｉに応じて算出されるので、休止期間が非常に長い等により、内部時計１４の調整が長い間なされなかった場合であっても、精度の高い補正により、頭切れ、尻切れを回避することができる。さらに、補正時間Ｎｔｓ、補正時間Ｎｔｅは、最後の調整タイミングｔにおける調整値Ｇに応じて算出されるので、内部時計１４のばらつき、計時変化を吸収、補正することができる。
【００５８】
なお、本実施の形態では、記録開始に関する補正時間Ｎｔｓと記録終了に関する補正時間Ｎｔｅとを別個に算出し、補正に適用したが、記録開始、記録終了に関して、同一の補正時間（例えば補正時間Ｎｔｓのみ）を用いてもよい。これにより、補正時間の算出が１回で済み、構成が簡単になる。
【００５９】
なお、補正時間Ｎｔｓ、補正時間Ｎｔｅの値に上限を設けてもよい。これにより、調整値Ｇがあまりに大きすぎた場合等において、記録開始、終了が、適切なタイミングからかけ離れることが回避される。その際、上限値は、例えば、固定値としてもよい。
【００６０】
なお、補正時間Ｎｔｓ、補正時間Ｎｔｅは、Ｔｉ値とＧ値の双方に応じて算出したが、これに限るものではなく、いずれか一方に応じて算出してもよい。
【００６１】
なお、補正時間Ｎｔｓ、補正時間Ｎｔｅは、Ｔｉ値に応じた値とＧ値に応じた値の合算で算出されるとしたが（上記数式１、５）、Ｔｉ値に応じた値とＧ値に応じた値との積算で算出されるようにしてもよい。例えば、Ｎｔｓ＝Ｔｉ×Ｇ×係数としてもよい。
【００６２】
なお、記録終了予定時刻ＴＥ０に代えて記録時間ＴＴによって予約が設定された場合は、記録時間ＴＴについて、記録終了予定時刻ＴＥ０の補正と同様の考え方で、尻切れが生じない方向に記録時間ＴＴを補正（延長）すればよい。
【００６３】
なお、本実施の形態では、情報記録装置１０がビデオレコーダであるとしたが、このような記録装置のみならず、音声を入力する音声入力手段と画像（映像）を入力する撮像手段とを有するビデオカメラ（乃至カムコーダ）等の組み込み機器においても本発明を適用することができる。この場合は、民生用機器として付加価値の高い機能を提供できる効果がある。なお、記録の対象となる情報は、音声及び画像（映像）だけに限られない。
【図面の簡単な説明】
【００６４】
【図１】本発明の一実施の形態に係る情報記録装置の構成を示すブロック図である。
【図２】情報記録装置が番組表及び基準時刻を取得するためのシステムを示す図である。
【図３】表示部の表示画面の表示例を示す図である。
【図４】内部時計の調整と記録開始との関係を示すタイミングチャートである。
【図５】内部時計調整処理のフローチャートである。
【図６】記録制御処理のフローチャートである。
【図７】記録制御処理の図６の続きのフローチャートである。
【図８】記録制御処理による情報記録装置の状態を示すタイミングチャートである。
【符号の説明】
【００６５】
１０  情報記録装置
１５  記録制御部（休止状態制御手段）
１３  補正部（補正手段）
１６  記録処理部（記録処理手段）
１７  記録設定部（時刻設定手段）
１４  内部時計
１２  時計設定部（時刻調整手段）
１１  時刻取得部（時刻情報取得手段）
ＴＣ  基準時刻（時刻情報）
Ｇ  調整値（時刻調整値）
Ｔｉ  タイマカウンタ（経過時間）
【図１】
2006294094.tif 000003
【図２】
2006294094.tif 000004
【図３】
2006294094.tif 000005
【図４】
2006294094.tif 000006
【図５】
2006294094.tif 000007
【図６】
2006294094.tif 000008
【図７】
2006294094.tif 000009
【図８】
2006294094.tif 000010